(57)【要約】【課題】  従来技術は、子供がブロック遊びをすることにより知育に役立つブロック型の弁当箱であり、ブロック式のため目的の物を取り出すのにいちいち外さなければならず、ブロック遊びも単純なものであり、知育的には難しいと思われる。また、簡単なスキルで遊べるものであるが、本発明のような動きがあるものではなく、面白味に欠けるものである。【解決手段】  けん玉形状の調味料容器で、けん本体のけん先に爪楊枝部を設けると共に、けん本体の下部の小皿部、皿胴の中皿部、大皿部に各々調味料を入れてなり、玉部にも調味料をいれてなることを特徴とする。【選択図】図１
2018134365.tif 000002
【特許請求の範囲】
【請求項１】
けん玉形状の調味料容器で、けん本体のけん先に爪楊枝部を設けると共に、けん本体の下部の小皿部、皿胴の中皿部、大皿部に各々調味料を入れてなり、玉部にも調味料をいれてなることを特徴とするけん玉形調味料容器。
【請求項２】
前記調味料が、ゴマ・コショウ・七味・塩・砂糖・醤油・ソース・ラー油であることを特徴とする請求項１記載のけん玉形調味料容器。
【発明の詳細な説明】
【技術分野】
【０００１】  本発明は、各種調味料を入れてなるけん玉形調味料容器に関するものである。
【背景技術】
【０００２】  従来の技術として、１つの容器が下部容器と上蓋とで構成され、下部容器の底面には凹部を、上蓋の上面には凸部が設けられ、該凹部と凸部は互いに嵌合可能であり、１つの容器には前記凹部及び凸部が１つ若しくは複数個備えられ、それぞれの容器の前記凹部と凸部を嵌合させることにより、複数の容器を上下方向に自在に積み重ねることができることを特徴するブロック型弁当箱がある。（特許文献１参照）【０００３】  別の従来技術として、キャラクター形状物、該キャラクター形状物の載置舞台を表面に設けた上箱となる載置具及び該キャラクター形状物を分別手段により収納できる該上箱により閉塞される下箱となる収納箱とで生活用具を形成し、該キャラクター形状物は板状又は立体形状物で、該収納箱に収納自在とされ、該載置舞台と接する底部に第１の接触固定機構、底部以外の外部表面の一部に第２の接触固定機構を各々設け、該キャラクター形状物は、第４の接触固定機構を設けた該載置具の載置舞台において第１の接触固定機構により着脱自在とされ、第３の接触固定機構を設けた様々な容器、キャラクター構造物は、該第２の接触固定機構によりキャラクター形状物の外部表面に着脱自在としたことを特徴とする生活用具がある。（特許文献２参照）
【先行技術文献】
【特許文献】
【０００４】
【特許文献１】実用新案登録第３１０３７１０号公報
【特許文献２】特許第５４１９２４６号公報
【発明の概要】
【発明が解決しようとする課題】
【０００５】  前記前者の従来技術については、子供がブロック遊びをすることにより知育に役立つブロック型の弁当箱であり、ブロック式のため目的の物を取り出すのにいちいち外さなければならず、ブロック遊びも単純なものであり、知育的には難しいと思われる。【０００６】  また、前記後者の従来技術は、簡単なスキルで遊べるものであるが、本発明のような動きがあるものではなく、面白味に欠けるものである。【０００７】  本発明は、このような従来の構成が有していた問題を解決しようとするもので、けん玉の各部位に色々な調味料等を入れることができ、必要に応じてけん玉遊びを行うことのできるけん玉形調味料容器を提供することを目的とする。
【課題を解決するための手段】
【０００８】  本発明は上記目的を達成するため、けん玉形状の調味料容器で、けん本体のけん先に爪楊枝部を設けると共に、けん本体の下部の小皿部、皿胴の中皿部、大皿部に各々調味料を入れてなり、玉部にも調味料をいれてなること。上記調味料が、ゴマ・コショウ・七味・塩・砂糖・醤油・ソース・ラー油であることを特徴とする。
【発明の効果】
【０００９】１）、けん玉形状の調味料容器により、調味料が入っていても、空になっていても必要に      応じてけん玉遊びができる。
２）、けん先に爪楊枝部を設けることにより、食後の歯の手入れができ、便利である。
３）、中皿部・小皿部・大皿部に、自分好みの調味料（ゴマ・コショウ・七味・塩・砂糖      ・醤油・ソース・ラー油等）を入れ、使用できるものである。
４）、玉部には、特に醤油やソース等の液体調味料を入れ、量の多少により重さが変わり      、特に、けん先（爪楊枝部）に入れる遊びに変化があり、より一層面白くけん玉遊      びができる。
５）、テーブルの所要箇所に置いて使用でき、場所を取らず、色々な調味料を楽しむこと      ができる。
【図面の簡単な説明】
【００１０】  本発明の一実施例を示すけん玉形調味料容器の一部縦断正面図
【発明を実施するための形態】
【００１１】  １は、けん玉形調味料容器である。
２は、けん本体で、上部のけん先に爪楊枝Ｙ―――を入れ、外周にカバー３ａを着脱自在に装着してなる爪楊枝部３を設けると共に、下部に調味料を入れる空間４ａを形成し、調味料を出すための孔４ｂ１―――を穿設したキャップ４ｂを着脱自在に装着し、キャップ４ｂを保護する球面状のカバー４ｃを設けてなる小皿部４を形設してある。
５は、皿胴で、一方に上記小皿部４よりやや大きい同様な空間６ａ・キャップ孔６ｂ１―――を穿設したキャップ６ｂ・カバー６ｃからなる中皿部６を設けてなる。
また、他方に上記中皿部６よりやや大きい同様な空間７ａ・孔７ｂ１―――を穿設したキャップ７ｂ・カバー７ｃからなる大皿部７を設けてなる。
８は、玉部で、中空体に上記爪楊枝部３を差し込む穴８ａを設けると共に、中味の調味料Ｔ（液体が望ましい）を出し入れるためのキャップ８ｂを設けてある。
なお、空間４ａ・５ａ・６ａには、各々粉系の調味料を入れるものとし、例えば、スリゴマ・コショウ・七味・塩・砂糖等が考えられる。
また、玉部８の中の調味料Ｔとして、醤油・ソース・ラー油等が考えられる。
【００１２】  けん玉形調味料容器１の使用例について説明する。
例えば、けん玉形調味料容器１を食事するテーブル（図示せず）の所要位置に立設する。
この状態で、例えば、中皿部６の空間６ａ内に入れているスリゴマＳをカバー６ｃを外した状態でキャップ６ｂの孔６ｂ１―――より食材（図示せず）に振りかけて使用する。
小皿部４や大皿部７も同様な手順で行うものである。
爪楊枝部３は、必要に応じてカバー３ａを外し、中の爪楊枝Ｙを取り出して使用する。
玉部８においては、キャップ８ｂを開けて、中の液体（醤油等）の調味料Ｔを食材（図示せず）に振りかけて食するものである。
なお、小皿部４・中皿部６．大皿部７に各種調味料（粉）を入れる場合、カバー４ｃ・６ｃ・７ｃを外し、続いてキャップ４ｂ・６ｂ・７ｂを外し、空間４ａ・６ａ・７ａ内に必要量入れるものである。
また、玉部８に液体調味料Ｔを入れる場合、キャップ８ｂを外して入れるものである。
【００１３】  けん玉形調味料容器１の遊び方について説明する。
遊び方は、通常のけん玉と同じであり、特に限定するものではない。
特に、玉部８内の液量により動き（重さにより）が変化するため、よりスリリングな遊びができるものである。
【００１５】  上記実施例における各部位の材質や大きさ等は必要に応じて決めればよい。
また、使用する調味料も自分好みで選択すればよい。
【産業上の利用の可能性】
【００１４】  調味料を入れてなるけん玉形調味料容器であり、調味料入れとしても、けん玉としも使用でき、家族から業務用まで幅広いニーズがある。
【符号の説明】
【００１６】１―――けん玉形調味料容器
２―――けん本体
３―――爪楊枝部
４―――小皿部
５―――皿胴
６―――中皿部
７―――大皿部
８―――玉
【図１】
2018134365.tif 000003